(57)【要約】      （修正有）【課題】本体に備えられた映像エンコーダを用いて外部映像信号を圧縮することによって、材料費及び製造費を低減できるデジタル映像装置及びその制御方法を提供する。【解決手段】映像信号を出力するディスプレイ部２８１、及び映像エンコーダ２６０を備えた本体２００と、外部映像に対応し、且つエンコーティングまたは圧縮されていない外部映像信号を生成して出力する映像入力部１１０を備えたユーザー入力部１００と、前記映像入力部により出力された前記外部映像信号を前記本体に伝送するデータインターフェース３００と、を備え、映像エンコーダは、前記データインターフェースから受信した前記外部映像信号を所定のフォーマットでエンコーディングする。【選択図】図３
2013141247.tif 000002
【特許請求の範囲】
【請求項１】
映像信号を出力するディスプレイ部、及び映像エンコーダを備えた本体と、
外部映像に対応し、且つエンコーティングまたは圧縮されていない外部映像信号を生成して出力する映像入力部を備えたユーザー入力部と、
前記映像入力部により出力された前記外部映像信号を前記本体に伝送するデータインターフェースと、
を備え、
映像エンコーダは、前記データインターフェースから受信した前記外部映像信号を所定のフォーマットでエンコーディングする、デジタル映像装置。
【請求項２】
前記本体は、
前記データインターフェースを介して受信した外部映像信号に基づいてユーザーを認識するビジョンプロセッサをさらに備える、請求項１に記載のデジタル映像装置。
【請求項３】
前記外部映像信号は、前記映像入力部でユーザーの周辺照度の変化によらずに一定のフレームレートを有するように生成される、請求項２に記載のデジタル映像装置。
【請求項４】
前記ユーザー入力部は、
前記ユーザーの周辺照度を上昇させる赤外線光源と、
前記映像入力部の抵抗変化量に基づいて前記ユーザーの周辺照度を獲得し、該獲得された照度が所定の基準値未満であると、前記赤外線光源をＯＮにする光源コントローラをさらに備える、請求項３に記載のデジタル映像装置。
【請求項５】
前記ユーザー入力部は、
前記ユーザーの周辺照度を上昇させる赤外線光源と、
前記映像入力部を介して入力された外部映像を分析して前記ユーザーの周辺照度を獲得し、該獲得された照度が所定の基準値未満であると、前記赤外線光源をＯＮにする光源コントローラと、
をさらに備える、請求項３に記載のデジタル映像装置。
【請求項６】
前記ユーザー入力部は、
前記ユーザーの周辺照度を感知する照度センサーと、
前記ユーザーの周辺照度を向上させる赤外線光源と、
前記照度センサーの出力値に基づいて前記ユーザーの周辺照度を獲得し、該獲得された照度が所定の基準値未満であると、前記赤外線光源をＯＮにする光源コントローラと、
をさらに備える、請求項３に記載のデジタル映像装置。
【請求項７】
前記光源コントローラは、前記獲得された照度に応じて前記赤外線光源の強度を調節する、請求項４に記載のデジタル映像装置。
【請求項８】
ユーザー入力部により外部映像に対応する外部映像信号を生成し、
前記生成された外部映像信号を、エンコーディングまたは圧縮されていない形態でデータインターフェースを介してデジタル映像装置の本体に伝送し、
前記本体で、前記データインターフェースを介して伝送された外部映像信号を受信し、該外部映像信号に基づいてユーザーを認識し、
前記認識結果に基づいて前記デジタル映像装置のアプリケーションを実行する、デジタル映像装置の制御方法。
【請求項９】
前記データインターフェースを介して伝送された外部映像信号を、前記本体に備えられた映像エンコーダを用いて所定のフォーマットで圧縮し、
前記圧縮された外部映像信号をビデオ通話の相手に送信すること、をさらに含む、請求項８に記載のデジタル映像装置の制御方法。
【請求項１０】
前記ユーザー入力部により生成された外部映像信号は、ユーザーの周辺の照度変化によらずに一定のフレームレートを有する、請求項９に記載のデジタル映像装置の制御方法。
【請求項１１】
前記ユーザー入力部は、前記周辺照度を向上させる赤外線光源を備え、
前記方法は、
前記ユーザー入力部の抵抗変化量に基づいて前記ユーザーの周辺照度を獲得し、
前記獲得された照度が基準値未満であると、前記赤外線光源をＯＮにすることをさらに含む、請求項１０に記載のデジタル映像装置の制御方法。
【請求項１２】
前記ユーザー入力部は、前記周辺照度を向上させる赤外線光源を備え、
前記方法は、
前記外部映像を分析して前記ユーザーの周辺照度を獲得し、
前記獲得された照度が所定の基準値未満であると、前記赤外線光源をＯＮにすること、をさらに含む、請求項１０に記載のデジタル映像装置の制御方法。
【請求項１３】
前記ユーザー入力部は、前記ユーザーの周辺照度を感知する照度センサー、及び前記ユーザーの周辺照度を向上させる赤外線光源を備え、
前記方法は、
前記照度センサーの出力値に基づいて前記ユーザーの周辺照度を獲得し、
前記獲得された照度が所定の基準値未満であると、前記赤外線光源をＯＮにすること、をさらに含む、請求項１０に記載のデジタル映像装置の制御方法。
【発明の詳細な説明】
【技術分野】
【０００１】
実施例は、ビデオ通話または様々なアプリケーションの実行が可能なデジタル映像装置及びその制御方法に関する。
【背景技術】
【０００２】
一般に、映像装置とは、映像信号を処理して様々な形態で出力するように構成された、テレビジョン（ＴｅｌｅＶｉｓｉｏｎ：ＴＶ）のような装置のことを指す。デジタルＴＶは、既存のアナログＴＶに比べて優れた処理能力及び信号保存能力を有する。その上、各家庭に接続されているインターネット回線を利用して実時間放送、ＣＯＤ（Ｃｏｎｔｅｎｔｓ  ｏｎ  Ｄｅｍａｎｄ）、ゲーム、ビデオ通話などを含む種々のコンテンツサービスをユーザーに提供可能になった。
【０００３】
ビデオ通話及び種々のアプリケーションは、ＭｏＩＰ（Ｍｕｌｔｉｍｅｄｉａ  ｏｖｅｒ  Ｉｎｔｅｒｎｅｔ  Ｐｒｏｔｏｃｏｌ）機能、及びデジタルＴＶに備えられてユーザー映像を撮像するカメラモジュールを用いて実行することができる。
【０００４】
既存のカメラモジュールは、他のデジタルＴＶ構成の作業負荷を軽減するために、ユーザーの映像信号を圧縮するように構成された別途の映像エンコーダを備えており、カメラモジュールの製造コストが増加することがあった。なお、ビデオ通話のためのフォーマットで圧縮されたユーザーの映像信号及びディスプレイ部に表示するためのユーザーの映像信号を別々に伝送することから、データインターフェースの帯域幅負荷も増加した。
【０００５】
なお、既存のカメラモジュールは、低照度且つ低いフレームレートに映像信号を生成したため、該映像信号はディスプレイ部に不自然な映像で表示されることがあった。その上、デジタルＴＶの本体が様々なアプリケーションのためにビジョンプロセシングを行う時に、不正確な結果になることもあった。
【発明の概要】
【発明が解決しようとする課題】
【０００６】
一つ以上の実施例は、デジタル映像装置のユーザー入力部に別途の映像エンコーダを備えずに、本体に備えられた映像エンコーダを用いて外部映像信号を圧縮することによって、材料費及び製造費を低減できるデジタル映像装置及びその制御方法を提供する。
【０００７】
また、一つ以上の実施例は、デジタル映像装置のユーザー入力部に光源を備えることによって、低照度環境でも一定のフレームレートを維持できるデジタル映像装置及びその制御方法を提供する。
【課題を解決するための手段】
【０００８】
実施例の一態様によれば、映像信号を出力するディスプレイ部、及び映像エンコーダを備えた本体と、外部映像に対応し、且つエンコーティングまたは圧縮されていない外部映像信号を生成して出力する映像入力部を備えたユーザー入力部と、前記映像入力部により出力された前記外部映像信号を前記本体に伝送するデータインターフェースと、を備え、映像エンコーダは、前記データインターフェースから受信した前記外部映像信号を所定のフォーマットでエンコーディングする、デジタル映像装置が提供される。
【０００９】
前記デジタル映像装置は、前記データインターフェースを介して受信した外部映像信号に基づいてユーザーを認識するビジョンプロセッサをさらに備えてもよい。
【００１０】
前記映像入力部で生成された前記外部映像信号は、ユーザーの周辺照度の変化によらずに一定のフレームレートを有することができる。
【００１１】
前記デジタル映像装置は、前記ユーザーの周辺照度を上昇させる赤外線光源と、前記映像入力部の抵抗変化量に基づいて前記ユーザーの周辺照度を獲得し、該獲得された照度が所定の基準値未満であると、前記赤外線光源をＯＮにする光源コントローラをさらに備えてもよい。
【００１２】
前記デジタル映像装置は、前記ユーザーの周辺照度を上昇させる赤外線光源と、前記映像入力部を介して入力された外部映像を分析して前記ユーザーの周辺照度を獲得し、該獲得された照度が所定の基準値未満であると、前記赤外線光源をＯＮにする光源コントローラと、をさらに備えてもよい。
【００１３】
前記デジタル映像装置は、前記ユーザーの周辺照度を感知する照度センサーと、前記ユーザーの周辺照度を向上させる赤外線光源と、前記照度センサーの出力値に基づいて前記ユーザーの周辺照度を獲得し、該獲得された照度が所定の基準値未満であると、前記赤外線光源をＯＮにする光源コントローラと、をさらに備えてもよい。
【００１４】
前記光源コントローラは、前記獲得された照度に応じて前記赤外線光源の強度を調節することができる。
【００１５】
他の実施例の一態様によれば、映像信号を映像として出力するディスプレイ部、ＭＪＰＥＧ（Ｍｏｔｉｏｎ  Ｊｏｉｎｔ  Ｐｈｏｔｏｇｒａｐｈｉｃ  Ｅｘｐｅｒｔｓ  Ｇｒｏｕｐ）デコーダ、及び映像エンコーダを備えた本体と、外部映像に対応する外部映像信号を生成する映像入力部、及び前記外部映像信号をＭＪＰＥＧ方式で圧縮するＭＪＰＥＧエンコーダを備えたユーザー入力部と、前記ＭＪＰＥＧ方式で圧縮された外部映像信号を前記本体に伝送するデータインターフェースと、を備え、前記ＭＪＰＥＧデコーダは、前記データインターフェースを介して前記本体に受信された前記外部映像信号をデコーディングし、前記映像エンコーダは、前記デコーディングされた外部映像信号を所定のフォーマットで圧縮する、デジタル映像装置が提供される。
【００１６】
前記本体は、前記デコーディングされた外部映像信号に基づいてユーザーを認識するビジョンプロセッサをさらに備えてもよい。
【００１７】
他の実施例の一態様によれば、ユーザー入力部により外部映像に対応する外部映像信号を生成し、前記生成された外部映像信号を、エンコーディングまたは圧縮されていない形態でデータインターフェースを介してデジタル映像装置の本体に伝送し、前記本体で、前記データインターフェースを介して伝送された外部映像信号を受信して、該外部映像信号に基づいてユーザーを認識し、前記認識結果に基づいて前記デジタル映像装置のアプリケーションを実行する、デジタル映像装置の制御方法が提供される。
【００１８】
前記方法は、前記データインターフェースを介して伝送された外部映像信号を、前記本体で映像エンコーダを用いて所定のフォーマットで圧縮し、該圧縮された外部映像信号をビデオ通話の相手に送信することをさらに含んでもよい。
【００１９】
前記ユーザー入力部で生成した外部映像信号は、ユーザーの周辺照度の変化によらずに一定のフレームレートを有することができる。
【００２０】
前記ユーザー入力部は、前記周辺照度を向上させる赤外線光源を備え、前記方法は、前記ユーザー入力部の抵抗変化量に基づいて前記ユーザーの周辺照度を獲得し、前記獲得された照度が基準値未満であると、前記赤外線光源をＯＮにすることをさらに含んでもよい。
【００２１】
前記ユーザー入力部は、前記周辺照度を向上させる赤外線光源を備え、前記方法は、前記映像入力部を介して入力された前記外部映像を分析して前記ユーザーの周辺照度を獲得し、前記獲得された照度が所定の基準値未満であると、前記赤外線光源をＯＮにすること、をさらに含んでもよい。
【００２２】
前記ユーザー入力部は、前記ユーザーの周辺照度を感知する照度センサー、及び前記ユーザーの周辺照度を向上させる赤外線光源を備え、前記方法は、前記照度センサーの出力値に基づいて前記ユーザーの周辺照度を獲得し、前記獲得された照度が所定の基準値未満であると、前記赤外線光源をＯＮにすること、をさらに含んでもよい。
【００２３】
他の実施例の一態様によれば、外部映像に対応する外部映像信号をユーザー入力部を用いて生成し、前記外部映像信号をＭＪＰＥＧエンコーダを用いて圧縮し、前記圧縮された外部映像信号をデータインターフェースを介して前記デジタル映像装置の本体で受信して該外部映像信号をＭＪＰＥＧデコーダを用いてデコーディングし、前記デコーディングされた外部映像信号に基づいてユーザーを認識し、前記認識結果に基づいて前記デジタル映像装置のアプリケーションを実行する、デジタル映像装置の制御方法が提供される。
【００２４】
前記方法は、前記デコーディングされた外部映像信号を所定のフォーマットで圧縮してビデオ通話の相手に送信することをさらに含んでもよい。
【発明の効果】
【００２５】
一実施例に係るジタル映像装置及びその制御方法によれば、ユーザー入力部に別途の映像エンコーダを備えず、本体に備えられた映像エンコーダを用いて外部映像信号を送信フォーマットで圧縮するため、材料費及び製造費を低減することが可能になる。
【００２６】
また、ユーザー入力部でローデータ形態の外部映像信号を伝送することから、これに基づいて行われるビジョンプロセシング結果の正確度が向上する。また、ユーザー入力部に光源を備え、低照度環境で前記光源をＯＮにすることによって、低照度環境でも一定のフレームレートを維持して自然な外部映像をディスプレイでき、ビジョンプロセシング結果の正確度も向上する。
【図面の簡単な説明】
【００２７】
【図１】一実施例に係るデジタル映像装置の全体外観を示す図である。
【図２】一実施例に係るビデオ通信システムの構成を示すブロック図である。
【図３】第１の実施例に係るデジタル映像装置の制御ブロック図である。
【図４】一実施例に係るデジタル映像装置で具現されたアプリケーションの画面である。
【図５】既存のデジタル映像装置のユーザー入力部が低照度環境で外部映像を撮影する時にカメラ露出区間を示すタイムチャートである。
【図６】一実施例に係る、ユーザー入力部に別途の光源を有しているデジタル映像装置の制御ブロック図である。
【図７】一実施例に係る、ユーザー入力部に別途の光源を有しているデジタル映像装置の制御ブロック図である。
【図８】赤外線光源のＯＮ時間と映像入力部の露出時間を示すタイムチャートである。
【図９】第２の実施例に係るデジタル映像装置の制御ブロック図である。
【図１０】第１の実施例に係るデジタル映像装置の制御方法を示すフローチャートである。
【図１１】第２の実施例に係るデジタル映像装置の制御方法を示すフローチャートである。
【発明を実施するための形態】
【００２８】
以下、添付の図面を参照して実施例を詳細に説明する。図面中、同一の構成要素には同一の参照符号を付する。
【００２９】
図１は、の一実施例に係るデジタル映像装置１０の全体外観を示す図である。図１を参照すると、デジタル映像装置１０は、デジタルＴＶとすることができ、かつ、放送番組の映像信号またはビデオ通話の相手（他方）の映像信号を映像として出力するディスプレイ部２８１、放送番組の音響信号またはビデオ通話の相手の音声信号をサウンドとして出力する音響出力部（図示せず）、及びユーザーの映像及び音声を入力するユーザー入力部１００を含む本体２００を備えている。
【００３０】
さらに、デジタルＴＶを制御するように構成されたリモートコントローラ２０を備えることもできる。リモートコントローラ２０は、放送番組の出力を制御する他、ビデオ通話に関しても制御することができる。
【００３１】
ディスプレイ部２８１には３種類の映像を同時に表示可能である。そのため、ディスプレイ部２８１は、放送信号を表示する放送領域I、ユーザー映像を表示するユーザー映像領域II、及び相手の映像を表示する相手映像領域IIIを含む。ディスプレイ部２８１に３領域が同時に表示されるので、ユーザーは放送番組を視聴しながら、同時にビデオ通話を行うことができる。
【００３２】
音響出力部はスピーカーを備えることができ、放送番組信号に含まれた音響信号とビデオ通話の相手の音声信号を同時に出力することができる。この実施例の映像装置は背面に音響出力部を備えているが、実施例はこれに限定されず、ユーザーにサウンドを出力できるいずれの位置にも音響出力部を備えることができる。
【００３３】
ユーザー入力部１００は、ＭｏＩＰ（Ｍｕｌｔｉｍｅｄｉａ  ｏｖｅｒ  ＩＰ）で具現することができ、ユーザーの音声が入力される音声入力部１３０と、ユーザーの映像が入力される映像入力部１１０とを備える。音声入力部１３０はマイク（ｍｉｃｒｏｐｈｏｎｅ）を備えることができ、ユーザーの音声を取音するためのものであるが、ユーザーの音声の他に、背景音、特に、デジタルＴＶの音響出力部から出力される放送番組の音響または相手の音声も共に入力されることがある。
【００３４】
映像入力部１１０は、ユーザーの映像を取り込むように構成されたレンズ、ＣＣＤセンサー及びＣＭＯＳセンサーなどの撮像素子を備える。デジタル映像装置に備えられた映像入力部１１０によりユーザー映像が撮影されて相手のユーザーに送信される。また、撮影されたユーザーの映像は、ユーザー側のデジタル映像装置にもディスプレイされてもよい。
【００３５】
図２は、一実施例に係るビデオ通信システムの構成を示すブロック図である。
【００３６】
ビデオ通信システムとは、映像データ及び音声データの処理及び送受信が可能な複数の装置を用いて、発呼側（ｃａｌｌｉｎｇ  ｐａｒｔｙ）及び被呼側（ｃａｌｌｅｄ  ｐａｒｔｙ）が、相対側から送信した映像及び音声を視聴しながら互いに対話できるようにするシステムのことをいう。
【００３７】
図２を参照すると、デジタルＴＶは、映像入力部からユーザーの映像に対応する映像データを獲得し、音声入力部１３０からユーザーの音声に対応する音声データを獲得し、獲得した映像データ及び音声データを、有無線ネットワークで接続されている相手側の外部装置に送信することができる。
【００３８】
相手側の外部装置は、デジタルＴＶ、携帯電話及びＰＤＡ（Ｐｅｒｓｏｎａｌ  Ｄｅｇｉｔａｌ  Ａｓｓｉｓｔａｎｔ）のような移動式端末機、ノートパソコン、またはＰＣ（Ｐｅｒｓｏｎａｌ  Ｃｏｍｐｕｔｅｒ）であればよい。
【００３９】
ユーザーのデジタルＴＶと相手側の外部装置とを接続するネットワークは、ビデオ通話のための通信規格に基づく映像及び音声データの送受信を可能にする。例えば、ユーザーのデジタルＴＶと相手側の装置とが、イーサーネット（登録商標）（ｅｔｈｅｒｎｅｔ）またはＩＥＥＥ  ８０２．３通信標準などに基づくネットワークを用いて当該映像及び音声データを送受信してもよく、ＩＥＥＥ  ８０２．１１標準などに基づくネットワークを用いて当該データを送受信してもよい。
【００４０】
これらのネットワークは、ＶＯＢＢ（Ｖｏｉｃｅ  ｏｖｅｒ  ＢｒｏａｄＢａｎｄ）またはレガシー（ｌｅｇａｃｙ）サービスなどを用いてユーザーのデジタルＴＶと相手の外部装置間のデータ送受信を行うことができる。
【００４１】
具体的に、ＶＯＢＢは、ＶｏＣＭ（Ｖｏｉｃｅ  ｏｖｅｒ  Ｃａｂｌｅ  Ｍｏｄｅｍ）、ＶｏＤＳＬ（Ｖｏｉｃｅ  ｏｖｅｒ  ＤＳＬ）、ＶｏＩＰ（Ｖｏｉｃｅ  ｏｖｅｒ  Ｉｎｔｅｒｎｅｔ  Ｐｒｏｔｏｃｏｌ）、ＦＷＡ（Ｆｉｘｅｄ  Ｗｉｒｅｌｅｓｓ  Ａｃｃｅｓｓ）、ＦＴＴＨ（Ｆｉｂｅｒ  Ｔｏ  Ｔｈｅ  Ｈｏｍｅ）またはＶｏＡＴＭ（Ｖｏｉｃｅ  ｏｖｅｒ  ＡＴＭ）などのサービスを含むことができ、レガシーサービスは、ＩＳＤＮ（Ｉｎｔｅｒｇｒａｔｅｄ  Ｓｅｒｖｉｃｅ  Ｄｉｇｉｔａｌ  Ｎｅｔｗｏｒｋ）、ＰＯＴＳ（Ｐｌａｉｎ  Ｏｌｄ  Ｔｅｌｅｐｈｏｎｅ  Ｓｅｒｖｉｃｅ）、セルラーまたは３Ｇサービスなどを含むことができる。
【００４２】
これにより、デジタルＴＶと外部装置とが、無線ネットワーク、従来の電話ネットワーク、インターネットなどのようなデータネットワーク、ケーブルモデムシステムまたはセルラーネットワークなどを用いて映像及び音声データを送受信し、画像通話が可能になる。
【００４３】
デジタルＴＶと外部装置は、相互間に設定された規格に基づいて映像及び音声データを送受信すればよく、例えば、映像データのコーディングのためのＨ．２６１標準、映像及び音声データの通信のためのＨ．２２１標準、及び呼設定及び解除のためのＨ．２４２標準などのプロトコルのうち、少なくとも一つを用いることができる。
【００４４】
例えば、インターネットを用いた画像通信システムでは、映像コーディングのためのＨ．３２３、Ｈ．２６３及びＨ．２６４標準と、音声コーディングのためのＧ．７１１、Ｇ．７２９などのような、画像通信標準で具現されたプロトコルが用いられてもよい。
【００４５】
しかし、実施例に係るデジタル映像装置が画像通信を具現するのに用いられるデータ送受信方法は、上述の例に限定されず、デジタル映像装置の画像通信を可能にするいかなる方法も用いることができる。
【００４６】
図３は、第１の実施例に係るデジタル映像装置の制御ブロック図である。図３を参照すると、一実施例に係るデジタル映像装置は、放送信号を受信する放送信号受信部２１１、ビデオ通話相手と映像信号及び音声信号を送受信する送受信部２１２、映像エンコーダ２６０、放送信号受信部２１１及び送受信部２１２で受信した音響信号をデコーディングする音響処理部２２０、音響処理部２２０でデコーディングした音響信号を出力する音響出力部２８２、ユーザーの映像及び音声が入力されるユーザー入力部１００、ユーザーの映像信号を圧縮する映像エンコーダ２６０と、を備える。
【００４７】
放送信号受信部２１１は、映像信号及び音響信号を含む放送信号を受信する。放送信号受信部２１１は、アンテナ及びチューナーなどを備えており、映像信号はディスプレイ部２８１から映像として出力され、音響信号は、音響出力部２８２からサウンドとして出力される。
【００４８】
送受信部２１１は、所定の通信経路を通じてビデオ通話の相手から映像信号及び音声信号を受信し、相手にユーザーの映像信号及び音声信号を送信する。送受信部２１１で用いる所定の通信経路は、上述したように、インターネット（ｉｎｔｅｒｎｅｔ）、イーサーネット（ｅｔｈｅｒｎｅｔ）ホスト、公衆電話網（Ｐｕｂｌｉｃ  Ｓｗｉｔｃｈｅｄ  Ｔｅｌｅｐｈｏｎｅ  Ｎｅｔｗｏｒｋ）を含むネットワーク通信網であってもよく、一対一通信網であってもよい。また、有無線通信網の両方を含んでもよい。
【００４９】
ユーザー入力部１００は、ＭｏＩＰなどで具現することができ、ユーザーから映像が入力される映像入力部１１０、及びユーザーから音声が入力される音声入力部１３０を備える。映像入力部１１０及び音声入力部１３０は、入力された映像及び音声に関するデータを映像信号及び音声信号に変換する。ユーザー入力部１００は、映像入力部１１０から出力された映像信号を圧縮する映像エンコーダを備えない。
【００５０】
映像入力部１１０は、ユーザーの映像を光信号として取り込むレンズ１１１、及びレンズから取り込まれた光信号を電気信号に変換して、ユーザーの映像に対応するユーザーの映像信号を出力する撮像素子１１２を備える。撮像素子１１２は、ＣＣＤセンサー、ＣＭＯＳセンサーなどのイメージセンサーで具現することができる。また、撮像素子１１２は、電気信号を、データとして処理されうるデジタル信号に変換する映像Ａ／Ｄ（Ａｎａｌｏｇ−ｔｏ−Ｄｅｇｉｔａｌ）変換部、及びデジタル信号に変換された映像信号に対して映像処理を行う映像信号プロセッサ（Ｉｍａｇｅ  Ｓｉｇｎａｌ  Ｐｒｏｃｅｓｓｏｒ;ＩＳＰ）を備えることができる。
【００５１】
参考として、ユーザー入力部を介して入力される映像には、ユーザーが含まれても、含まれなくてもよいし、ユーザー入力部を介して入力される音声には、ユーザーの音声が含まれても、含まれなくてもよい。以下に詳述する実施例では、ユーザー入力部１００を介して入力される映像を「外部映像」といい、音声を「外部音声」という。
【００５２】
映像入力部１１０で生成された外部映像信号は、デジタル変換及び映像処理まで行われた信号であってもある。しかし、デジタル変換及び映像処理がされたか否かにかかわらず、映像入力部１１０から出力された映像信号は、ローデータ（ｒａｗ  ｄａｔａ）、すなわち、圧縮またはエンコーディングされていないデータの形態でデータインターフェース３００を経て本体２００に伝送される。
【００５３】
音声Ａ／Ｄ変換部１４０は、音声入力部１３０を介して入力された音声信号をデジタル信号に変換するサンプリングを行い、デジタル信号に変換された音声信号は、本体２００で圧縮されて相手に伝送される。
【００５４】
ユーザー入力部１００と本体２００とはデータインターフェース３００を介して接続すればよく、一実施例として、データインターフェース３００はＵＳＢインターフェースであってもよい。しかし、実施例がこれに限定されることはなく、本体２００とユーザー入力部１００とを接続させる様々なインターフェースを用いることができる。ユーザー入力部１００はボディー２００に装着されていてもよい。
【００５５】
デジタル映像装置の本体２００には、他の携帯機器とのデータ伝送または様々なアプリケーションの実行のために映像エンコーダ２６０が備えられている。この映像エンコーダ２６０は、データインターフェース３００を介して受信した外部映像信号を送信フォーマットに合わせて圧縮し、それを送受信部２１２を介して相手に伝送することができる。例えば、ビデオ通信の送信フォーマットとしてＨ．２６４標準を用いる場合に、映像エンコーダ２６０は外部映像信号をＨ．２６４フォーマットに合わせて圧縮して送受信部２１２に提供する。
【００５６】
したがって、第１の実施例に係るデジタル映像装置は、ユーザー入力部１００に別途の映像エンコーダを備えず、ローデータ（ｒａｗ  ｄａｔａ）形態の外部映像信号を本体２００に伝送し、該外部映像信号を、本体２００に備えられている映像エンコーダ２６０を用いて圧縮する。その結果、製造コストの低減できる。
【００５７】
また、ユーザー入力部１００で映像信号を圧縮しないから、ユーザー入力部１００に音声信号との同期化のための信号合成部を備える必要がなく、本体２００にも信号分離部を備えずに済む。
【００５８】
音声エンコーダ２５０は、データインターフェース３００を介して伝送された外部音声信号を送信フォーマット合わせて圧縮して送受信部２１２に提供する。
【００５９】
送受信部２１２は、映像エンコーダ２６０及び音声エンコーダ２５０から受信した、圧縮された外部映像信号及び圧縮された音声信号を相手に送信し、所定の通信経路を通じて相手から符号化された映像信号及び音声信号を受信する。受信した映像信号は映像プロセッサ２３０に伝送され、受信した音声信号は音響プロセッサ２２０に伝送される。
【００６０】
放送信号受信部２１１を介して受信された放送の映像信号及び放送の音響信号も同様、それぞれ、映像プロセッサ２３０及び音響プロセッサ２２０に伝送される。
【００６１】
音響プロセッサ２２０は、圧縮された音響信号をデコーディングするデコーダを備えて、放送信号受信部２１１を介して受信された放送の音響信号及び送受信部２１２を介して受信された相手の音声信号をデコーディングする。また、音響プロセッサ２２０は、音響Ｄ／Ａ変換部を備えて、デジタル信号である音響信号をアナログ信号に変換したのち音響出力部２８２に伝送する。
【００６２】
映像プロセッサ２３０は、放送信号受信部２１１で受信した映像信号、データインターフェース３００を介して伝送された外部映像信号、及び送受信部２１２で受信した相手の映像信号を処理してディスプレイ部２８１に出力する。
【００６３】
映像プロセッサ２３０は、放送の映像信号、相手の映像信号をそれぞれデコーディングし、これらを複数のレイヤに処理してディスプレイ部２８１に出力する。放送の映像信号をデコーディングするデコーダと相手の映像信号をデコーディングするデコーダは、物理的に独立したハードウェアデコーダであってもよい。例えば、放送の映像信号と相手の映像信号は第１のレイヤとして、外部映像信号は、第１のレイヤと重なる第２のレイヤとして処理することができる。映像プロセッサ２３０は、それぞれの映像信号を、ディスプレイ部２８１により出力される様々なレイヤ構造に合成することができる。
【００６４】
また、映像プロセッサ２３０は、デジタル映像装置のディスプレイ部２８１に、放送映像、相手映像または外部映像を出力するための各種の映像処理を行う。映像プロセッサ２３０は、映像Ｄ／Ａ変換部を備えて、映像信号をアナログ信号に変換したのちディスプレイ部２８１に提供する。
【００６５】
ディスプレイ部２８１は、映像プロセッサ２３０から伝送される３種類の映像を表示する。ディスプレイ部２８１は、ＬＣＤ（Ｌｉｑｕｉｄ  Ｃｒｙｓｔａｌ  Ｄｉｓｐｌａｙ）パネル、ＯＬＥＤ（Ｏｒｇａｎｉｃ  Ｌｉｇｈｔ  Ｅｍｉｔｔｉｎｇ  Ｄｉｏｄｅ）パネル、ＬＥＤ（Ｌｉｇｈｔ  Ｅｍｉｔｔｉｎｇ  Ｄｉｏｄｅ）パネル、ＰＤＰ（Ｐｌａｓｍａ  Ｄｉｓｐｌａｙ  Ｐａｎｎｅｌ）などで具現することができる。
【００６６】
音響出力部２８２は、音響プロセッサ２２０から伝送された相手の音声信号及び放送の音響信号を出力し、これにより、ユーザーは相手の音声及び放送番組の音響を聞くことができる。
【００６７】
デジタル映像装置は、放送番組やビデオ通信の提供に加えて、様々なアプリケーションを実行することができる。スマートフォンのようにネットワーク上でアプリケーションをダウンロードして実行でき、多くのアプリケーションがユーザーのモーション認識をベースにしている。したがって、デジタル映像装置の本体２００には、ユーザー認識に用いられるビジョンプロセッサ２４１が備えられており、ビジョンプロセッサ２４１のプロセシング結果に基づいてアプリケーションを実行し、これをディスプレイ部２８１に表示するアプリケーション実行部２４２も備えられている。ここで、ユーザー認識としては、ユーザー動作の認識、ユーザー顔の認識、ユーザー顔表情の認識、ユーザー存在の認識などを含む。
【００６８】
ビジョンプロセッサ２４１は、ユーザー入力部１００から伝送したローデータ形態の外部映像信号を利用するから、データ圧縮により発生するデータの損失がなく、正確な結果を算出することができる。
【００６９】
図４は、一実施例に係るデジタル映像装置で具現されたアプリケーションの画面である。
一実施例に係るデジタル映像装置１０は、様々なアプリケーションを行うことができる。例えば、図４に示すように、ディスプレイ部２８１に表示されたメニューは、ユーザーがディスプレイ部２８１を直接タッチしたり、リモートコントローラなどの入力装置を用いずに、動作のみで選択されてもよい。
【００７０】
この時、第１の実施例に係るデジタル映像装置１０のユーザー入力部１００は、ローデータ形態の外部映像信号を本体２００に伝送し、本体２００のビジョンプロセッサ２４１は、伝送された信号を用いてユーザーを認識する。ローデータ形態の信号は正確なエッジ検出を可能にするので、ビジョンプロセッサ２４１は、ユーザーを正確に認識でき、実行するアプリケーションの正確度も向上する。
【００７１】
図４は、実施例に適用されうるアプリケーションの一実施例に過ぎず、これに限定されず、ユーザーの動作に基づくゲームなどの様々なアプリケーションも適用可能である。
【００７２】
図５は、既存のデジタル映像装置のユーザー入力部が低照度環境で外部映像を撮影する時にカメラ露出区間を示すタイムチャートである。
【００７３】
一般に、デジタル映像装置のユーザー入力部は、被写体の周辺環境が暗い場合に、鮮明な映像を得るためにフレームレート（ｆｒａｍｅ  ｒａｔｅ）を下げる。これは、図５に示すように、カメラ露出時間の区間を増やして、撮影されるイメージの鮮明度及び明るさを上げるためである。例えば、被写体の周辺環境が３０ｌｕｘの低い照度を表す場合に、ユーザー入力部はフレームレートを１５ｆｐｓ程度に下げる。
【００７４】
しかし、デジタル映像装置のビジョンプロセッサでユーザーのハンドジェスチャを認識するためには、外部映像信号が３０ｆｐｓ以上のフレームレートを有しなければならない。したがって、ユーザー入力部が低照度環境でフレームレートを下げた外部映像信号を伝送すると、ビジョンプロセッサはユーザーのモーションを正確に認識できなくなる。
【００７５】
そこで、一実施例に係るデジタル映像装置は、ユーザー入力部１００に別途の光源を備えて、低照度環境でも一定のフレームレートを維持して外部映像を撮影できるようにする。
【００７６】
図６は、一実施例に係る、ユーザー入力部に別途の光源を備えたデジタル映像装置の制御ブロック図である。図６における光源制御部１５０及び赤外線光源１６０以外の構成要素は、図３で上述したので、その重複説明は省略する。
【００７７】
図６を参照すると、一実施例に係るデジタル映像装置のユーザー入力部１００は、赤外線光源１６０、及び該赤外線光源１６０を制御する光源コントローラ１５０を備える。赤外線光源１６０は、ユーザーの周辺環境の照度を上昇させるために、ユーザー入力部１００の外部に露出され、光源として赤外線を使用することからユーザーの眩しさを防止することができる。赤外線光源は、赤外線領域の他、近赤外線領域の光源も含む。
【００７８】
光源コントローラ１５０は、赤外線光源１６０のＯＮ／ＯＦＦ及び強度を制御する。光源コントローラ１５０は、ユーザー周辺環境の照度が所定の基準値未満であると、赤外線光源１６０をｏｎにするこができ、照度に応じて赤外線光源１６０の強度を適度に調節することができる。例えば、照度が低くなると光源の強度を強くし、照度が高くなると光源の強度を弱くすればよい。
【００７９】
この実施例では、映像入力部１１０を介して入力された外部映像を分析したり、撮像素子１１２の抵抗値変化を分析したりしてユーザーの周辺環境の照度を獲得することができ、所定の基準値は、ビジョンプロセッサ２４１の結果に影響を与えたり、ディスプレイ部２８１を介して出力される外部映像が不自然になるフレームレートを考慮して決定することができる。例えば、３００ｌｕｘを所定の基準値とすることができる。
【００８０】
図７は、他の実施例に係る、ユーザー入力部に別途の光源及び照度センサーを備えたデジタル映像装置の制御ブロック図である。図７の光源コントローラ１５０、照度センサー１７０及び赤外線光源１６０以外の構成要素は、図３で上述したので、その重複説明は省略する。
【００８１】
この実施例では、照度センサー１７０がユーザーの周辺環境の照度を直接感知し、光源コントローラ１５０は、照度センサー１７０の出力値に基づいて赤外線光源１６０のＯＮ／ＯＦＦ及び強度を制御する。これに関する内容は図６で説明した通りである。
【００８２】
図７の実施例のように、照度センサー１７０からユーザーの周辺環境の照度を獲得すると、撮像素子１１１の抵抗値変化を分析する時に生じうるＩ２Ｃ（Ｉｎｔｅｒ−Ｉｎｔｅｒｇｒａｔｅｄ  Ｃｉｒｃｕｉｔ−ｉｎｔｅｒｒｕｐｔ）を防止でき、外部映像を分析して照度を獲得する時に生じうる光源コントローラ１５０の作業負荷も防止することができる。
【００８３】
図６及び図７に示すように、ユーザー入力部１００に赤外線光源を備えて、ユーザーの周辺環境の照度が所定の基準値未満である場合に赤外線光源をＯＮにすると、ユーザーの周辺環境の実際照度にかかわらず、常に一定のフレームレートを有する外部映像信号を本体２００に伝送することができる。したがって、暗い環境で外部映像を撮影しても、本体に伝送される外部映像信号のフレームレートは低くなることがなく、ビジョンプロセッサの正確度も維持可能になる。
【００８４】
図８は、赤外線光源１６０のＯＮ時間と映像入力部１１０の露出時間を示すタイムチャートである。図８を参照すると、一実施例に係るデジタル映像装置は、低照度環境でも映像入力部１１０の露出時間Ｔ＿ｅｘｐを増やす必要がなく、光源コントローラ１５０は、映像入力部１１０の露出時間Ｔ＿ｅｘｐ区間でのみ赤外線光源１６０をＯＮにすることから、赤外線光源１６０のＯＮ時間Ｔ＿ＩＲを、映像入力部１１０の露出時間Ｔ＿ｅｘｐより小さい又は同一にすることができる。したがって、赤外線光源１６０による電力消耗を最小化することで、赤外線光源１６０の動作を效率的に制御することができる。
【００８５】
図９は、第２の実施例に係るデジタル映像装置の制御ブロック図である。図９を参照すると、第２の実施例に係るデジタル映像装置は、上述の第１の実施例に係るデジタル映像装置に加えて、ＭＪＰＥＧ（Ｍｏｔｉｏｎ  Ｊｏｉｎｔ  Ｐｈｏｔｏｇｒａｐｈｉｃ  Ｅｘｐｅｒｔｓ  Ｇｒｏｕｐ）エンコーダ１８０及びＭＪＰＥＧデコーダ２７０をさらに備えている。
【００８６】
データインターフェース３００が小さい帯域幅を有する場合には、ユーザー入力部１００から本体２００に容量の大きいローデータを伝送することが困難である。したがって、この場合には、ユーザー入力部１００に、外部映像信号をＭＪＰＥＧ方式で圧縮するＭＪＰＥＧエンコーダ１８０を備え、ＭＪＰＥＧ方式で圧縮された外部映像信号をデータインターフェース３００を介して本体２００に伝送する。
【００８７】
ＭＪＰＥＧエンコーダ１８０は、外部映像信号を圧縮するものの、圧縮率が高くないため、データ損失率が比較的小さい。例えば、６４０×４８０の解像度を有する映像信号を伝送する時に、Ｈ．２６４フォーマットで圧縮された場合には、平均して１Ｍ程度のネットワーク使用量を有するが、ＭＪＰＥＧフォーマットで圧縮された場合には、平均して３Ｍ程度のネットワーク使用量を有する。すなわち、ＭＪＰＥＧフォーマットで圧縮された場合にデータ容量がより大きく、よって、データ損失がより少ない。
【００８８】
本体２００にはＭＪＰＥＧデコーダ２７０が備えられ、データインターフェース３００を介して伝送された外部映像信号は、ＭＪＰＥＧデコーダ２７０でデコーディング（圧縮解除）された後、映像エンコーダ２６０に伝送されて送信フォーマット、例えば、Ｈ．２６４フォーマットで圧縮されて相手に伝送されたり、ビジョンプロセッサ２４１に伝送されてアプリケーション実行に用いられたり、映像プロセッサ２３０に伝送されて映像処理された後にディスプレイ部２８１から出力される。
【００８９】
この第２の実施例では、ＭＪＰＥＧエンコーダ１８０及びＭＪＰＥＧデコーダ２７０を使用したが、圧縮によるデータの損失を防止できる無損失コーデック（ｌｏｓｓｌｅｓｓ  ｃｏｄｅｃ）を使用してもよい。
【００９０】
この第２の実施例においても、ユーザー入力部１００に赤外線光源１６０及び光源コントローラ１５０をさらに備えて、低照度環境でも一定のフレームレートが維持された外部映像信号を本体２００に伝送可能にしてもよい。また、光源コントローラ１５０がユーザーの周辺環境の照度を獲得するにあたっても、図６及び図７で上述した映像入力部１１０の映像を分析する方法、撮像素子１１１の抵抗値変化を分析する方法、及び照度センサー１７０を備えて、照度センサーの出力値から獲得する方法が、第２の実施例にも同様に適用されてもよい。
【００９１】
以下、一実施例に係るデジタル映像装置の制御方法について説明する。
【００９２】
図１０は、第１の実施例に係るデジタル映像装置の制御方法を示すフローチャートである。図１０を参照すると、まず、ユーザー入力部１００で外部映像信号を生成する（Ｓ４１０）。ここで、外部映像信号を生成することは、レンズを介して外部映像を光信号として取り込み、イメージセンサーで具現される撮像素子で光信号を電気信号に変換することを意味する。さらに、撮像素子内に備えられた映像Ａ／Ｄ変換部により電気信号をデジタル信号に変換し、映像信号プロセッサにより該デジタル信号に映像信号処理を行うことまで含んでもよい。
【００９３】
そして、データインターフェースを介して外部映像信号を本体に伝送する（Ｓ４１１）。ここで、データインターフェースを介して本体に伝送される信号は、圧縮されていないローデータ形態の外部映像信号である。
【００９４】
外部映像信号が本体に伝送されると、本体に設けられているビジョンプロセッサが、外部映像信号に基づいてユーザーを認識する（Ｓ４１２）。ビジョンプロセッサがローデータ形態の外部映像信号を利用するから、算出する結果の正確度は向上する。
【００９５】
そして、ユーザー認識の結果に基づいてデジタル映像装置のアプリケーションを行う（Ｓ４１３）。ここで、アプリケーションは、デジタル映像装置で実行可能な様々なアプリケーションのうち、ユーザー認識に基づくものであればいずれも可能である。
【００９６】
図１０では、ユーザー入力部１００で撮影した映像をデジタル映像装置のアプリケーションで利用されることまで説明したが、該映像は、本体２００に設けられた映像エンコーダ２６０により送信フォーマット（例：Ｈ．２６４）で圧縮されて、送受信部２１１を介して相手に伝送されてもよい。
【００９７】
図１１は、第２の実施例に係るデジタル映像装置の制御方法を示すフローチャートである。図１１を参照すると、まず、ユーザー入力部１００で外部映像信号を生成する（Ｓ５１０）。ここで、外部映像信号を生成することは、上述した通り、レンズ１１１を介して外部映像を光信号として取り込み、イメージセンサーで具現される撮像素子１１２で光信号を電気信号に変換することを意味する。さらに、撮像素子１１２内に備えられた映像Ａ／Ｄ変換部により電気信号をデジタル信号に変換し、映像信号プロセッサにより該デジタル信号に映像信号処理を行うことまで含んでもよい。
【００９８】
そして、外部映像信号をＭＪＰＥＧエンコーダを用いて圧縮する（Ｓ５１１）。ＭＪＰＥＧエンコーダは、動映像を圧縮するのに主に使われているエンコーダで、圧縮率が比較的小さく、圧縮によるデータ損失も比較的少ない。
【００９９】
圧縮された外部映像信号をデータインターフェース３００を介して本体２００に伝送する（Ｓ５１２）。そして、伝送された外部映像信号をＭＪＰＥＧデコーダ２７０を用いてデコーディング（圧縮解除）する（Ｓ５１３）。すなわち、第２の実施例に係るデジタル映像装置の制御方法においては、ユーザー入力部１００にＭＪＰＥＧエンコーダ１８０が備えられ、本体２００にＭＪＰＥＧデコーダ２７０が備えられるデジタル映像装置を使用する。
【０１００】
デコーディングされた外部映像信号は本体のビジョンプロセッサ２４１に伝送され、ビジョンプロセッサ２４１は、デコーディングされた外部映像信号に基づいてユーザーを認識する（Ｓ５１４）。そして、ユーザー認識結果に基づいてデジタル映像装置のアプリケーションを行う（Ｓ５１５）。
【０１０１】
第１の実施例に係るデジタル映像装置の制御方法及び第２の実施例に係るデジタル映像装置の制御方法において、ユーザー入力部１００に赤外線光源１６０及び光源コントローラ１５０を備えることができる。映像入力部１１０を介して入力された外部映像または撮像素子１１２の抵抗値変化を分析して獲得したユーザーの周辺環境の照度が所定の基準値未満であると、赤外線光源１６０をＯＮにして、低照度環境でも外部映像信号のフレームレートを一定に維持させることができる。
【０１０２】
または、ユーザー入力部１００に照度センサー１７０をさらに備えて、照度センサー１７０の出力値からユーザーの周辺環境の照度を獲得してもよい。
【０１０３】
上述したように、実施例に係るデジタル映像装置及びその制御方法によれば、ユーザー入力部１００に映像エンコーダを備えず、本体に備えられている映像エンコーダを用いて外部映像信号を送信フォーマットで圧縮することによって材料費及び製造費を低減することができる。
【０１０４】
また、ユーザー入力部１００からローデータ（ｒａｗ  ｄａｔａ）形態の外部映像信号を伝送するから、該外部映像信号に基づいて行われるビジョンプロセシング結果の正確度が向上する。また、ユーザー入力部１００に光源を備え、低照度環境で該光源をＯＮにすることによって、低照度環境でも一定のフレームレートを維持し、自然な外部映像をディスプレイすることができ、ビジョンプロセシング結果の正確度も向上させることができる。
【符号の説明】
【０１０５】
１００    ユーザー入力部
２００    本体
３００    データインターフェース
１５０    光源コントローラ
１６０    赤外線光源
１７０    照度センサー
２６０    映像エンコーダ
２４１    ビジョンプロセッサ
２４２    アプリケーション実行部
【図１】
2013141247.tif 000003
【図２】
2013141247.tif 000004
【図３】
2013141247.tif 000005
【図４】
2013141247.tif 000006
【図５】
2013141247.tif 000007
【図６】
2013141247.tif 000008
【図７】
2013141247.tif 000009
【図８】
2013141247.tif 000010
【図９】
2013141247.tif 000011
【図１０】
2013141247.tif 000012
【図１１】
2013141247.tif 000013